(57)【要約】本発明は、２線式の電話回線を通して、ユーザとセンタ間を接続し、相互に通信を行うｘＤＳＬ通信技術に適用される。特に、ｘＤＳＬにおいて、回信号雑音比（ＳＮＲ）マージンだけを監視したり、信号の減衰率（ＡＴＴ）だけを監視したりして、回線品質の良否を判定するのでなく、次の要素も監視して、回線品質、伝送速度を向上させることにある。具体的には、信号雑音比（ＳＮＲ）マージンと、信号の減衰率（ＡＴＴ）の他に、（ａ）インタリーブディレイ（エラー訂正の深さ）とインタリーブコレクション時間（エラー訂正時間）、及び（ｂ）パフォーマンス情報による定期的なＣＲＣエラー、及びロス  オブ  シグナル（ＬＯＳ）、ロス  オブ  フレーム（ＬＯＦ）、及び（ｃ）伝送速度の監視を監視する。信号雑音比（ＳＮＲ）マージンと、信号の減衰率（ＡＴＴ）と、前記（ａ）〜（ｃ）を監視して、回線品質と伝送速度を向上させる。
2004068831.tif 000002
【特許請求の範囲】
【請求項１】
２線式の電話回路とｘＤＳＬ通信技術によって、ユーザ側とセンタ側とを回線接続し、相互通信を行うｘＤＳＬの回線品質制御装置において、
前記回線接続中に、信号雑音比マージン値と減衰率とインタリーブディレイとインタリーブコレクション時間と接続速度を取得する回線品質監視部と、
前記取得された信号雑音比マージン値、減衰率、インタリーブディレイ、インタリーブコレクション時間、接続速度を用いて、前記ユーザ側とセンタ側とを結ぶ回線の信号雑音比マージン値、減衰率、インタリーブディレイ、インタリーブコレクション時間、接続速度を設定して、回線品質を設定する回線品質設定部とから構成されることを特徴とするｘＤＳＬの回線品質制御装置。
【請求項２】
請求の範囲１に記載のｘＤＳＬの回線品質制御装置において、
前記回線品質監視部は、前記信号雑音比マージン値と減衰率とインタリーブディレイとインタリーブコレクション時間と接続速度の他に、一定時間毎に出力されるパフォーマンス情報を取得し、
前記回線品質設定部は、前記信号雑音比マージン値、前記減衰率、前記インタリーブディレイ、前記インタリーブコレクション時間、前記接続速度、前記パフォーマンス情報に基づいて、前記回線品質を一定の品質にすることを特徴とするｘＤＳＬの回線品質制御装置。
【請求項３】
請求の範囲２に記載のｘＤＳＬの回線品質制御装置において、
前記パフォーマンス情報は、１５分毎又は２４時間毎に、ＣＲＣエラー、又はロス  オブ  シグナル（ＬＯＳ）、又はロス  オブ  フレーム（ＬＯＦ）が少なくとも１秒間に１回発生したとき、各々カウントすることを特徴とするｘＤＳＬの回線品質制御装置。
【請求項４】
請求の範囲１に記載のｘＤＳＬの回線品質制御装置において、
前記回線品質監視部は、信号雑音比マージン値と減衰率とインタリーブディレイとインタリーブコレクション時間と接続速度とをあらかじめ定められた一定期間の統計情報として取得し、
前記回線品質設定部は、前記統計情報として取得された信号雑音比マージン値、前記減衰率、前記インタリーブディレイ、前記インタリーブコレクション時間、前記接続速度を用いて、前記ユーザ側と前記センタ側とを結ぶ回線の信号雑音比マージン値、減衰率、インタリーブディレイ、インタリーブコレクション時間、接続速度を設定することを特徴とするｘＤＳＬの回線品質制御装置。
【請求項５】
請求の範囲１に記載のｘＤＳＬの回線品質制御装置において、
前記回線品質監視部は、信号雑音比マージン値と減衰率とインタリーブディレイとインタリーブコレクション時間と接続速度、及び信号の伝送が不可能になるとき発生される回線警報をあらかじめ定められた一定期間の統計情報として取得し、
前記回線品質設定部は、前記統計情報として取得された信号雑音比マージン値、前記減衰率、前記インタリーブディレイ、前記インタリーブコレクション時間、前記接続速度、前記回線警報を用いて、前記ユーザ側と前記センタ側とを結ぶ回線の信号雑音比マージン値、減衰率、インタリーブディレイ、インタリーブコレクション時間、接続速度を設定することを特徴とするｘＤＳＬの回線品質制御装置。
【請求項６】
請求の範囲１に記載のｘＤＳＬの回線品質制御装置において、
前記回線品質監視部は、信号雑音比マージン値と減衰率とインタリーブディレイとインタリーブコレクション時間と接続速度、及び一定時間毎に出力されるパフォーマンス情報、及び信号の伝送が不可能になるとき発生される回線警報をあらかじめ定められた一定期間の統計情報として取得し、
前記回線品質設定部は、前記統計情報として取得された信号雑音比マージン値、前記減衰率、前記インタリーブディレイ、前記インタリーブコレクション時間、前記接続速度、及び一定時間毎に出力されるパフォーマンス情報、及び前記回線警報を用いて、前記ユーザ側と前記センタ側とを結ぶ回線の信号雑音比マージン値、減衰率、インタリーブディレイ、インタリーブコレクション時間、接続速度を設定することを特徴とするｘＤＳＬの回線品質制御装置。
【請求項７】
２線式の電話回路とｘＤＳＬ通信技術によって、ユーザ側とセンタ側とを回線接続し、相互通信を行うｘＤＳＬの伝送方式選択装置において、
前記回線接続中に、信号雑音比マージン値と減衰率とインタリーブディレイとインタリーブコレクション時間と接続速度を取得する回線品質監視部と、
前記取得された信号雑音比マージン値、減衰率、インタリーブディレイ、インタリーブコレクション時間、接続速度を用いて、複数の伝送方式の中から１つ伝送方式を選択する伝送方式選択部と
から構成されることを特徴とするｘＤＳＬの伝送方式選択装置。
【請求項８】
請求の範囲７に記載のｘＤＳＬの伝送方式選択装置において、
前記回線品質監視部は、前記信号雑音比マージン値と減衰率とインタリーブディレイとインタリーブコレクション時間と接続速度の他に、一定時間毎に出力されるパフォーマンス情報を取得し、
前記伝送方式選択部は、前記信号雑音比マージン値、前記減衰率、前記インタリーブディレイ、前記インタリーブコレクション時間、前記接続速度、前記パフォーマンス情報を用いて、複数の伝送方式の中から１つ伝送方式を選択することを特徴とするｘＤＳＬの回線品質制御装置。
【請求項９】
請求の範囲８に記載のｘＤＳＬの伝送方式選択装置において、
前記パフォーマンス情報は、１５分毎又は２４時間毎に、ＣＲＣエラー、又はロス  オブ  シグナル（ＬＯＳ）、又はロス  オブ  フレーム（ＬＯＦ）が少なくとも１秒間に１回発生したとき、各々カウントすることを特徴とするｘＤＳＬの伝送方式選択装置。
【請求項１０】
請求の範囲７に記載のｘＤＳＬの回線品質制御装置において、
前記回線品質監視部は、信号雑音比マージン値と減衰率とインタリーブディレイとインタリーブコレクション時間と接続速度とをあらかじめ定められた一定期間の統計情報として取得し、
前記伝送方式設定部は、前記統計情報として取得された信号雑音比マージン値、前記減衰率、前記インタリーブディレイ、前記インタリーブコレクション時間、前記接続速度を用いて、複数の伝送方式の中から１つ伝送方式を選択することを特徴とするｘＤＳＬの伝送方式選択装置。
【請求項１１】
請求の範囲７に記載のｘＤＳＬの回線品質制御装置において、
前記回線品質監視部は、信号雑音比マージン値と減衰率とインタリーブディレイとインタリーブコレクション時間と接続速度、及び信号の伝送が不可能になるとき発生される回線警報をあらかじめ定められた一定期間の統計情報として取得し、
前記伝送方式設定部は、前記統計情報として取得された信号雑音比マージン値、前記減衰率、前記インタリーブディレイ、前記インタリーブコレクション時間、前記接続速度、前記回線警報を用いて、複数の伝送方式の中から１つ伝送方式を選択することを特徴とするｘＤＳＬの伝送方式選択装置。
【請求項１２】
請求の範囲７に記載のｘＤＳＬの回線品質制御装置において、
前記回線品質監視部は、信号雑音比マージン値と減衰率とインタリーブディレイとインタリーブコレクション時間と接続速度、及び一定時間毎に出力されるパフォーマンス情報、及び信号の伝送が不可能になるとき発生される回線警報をあらかじめ定められた一定期間の統計情報として取得し、
前記伝送方式設定部は、前記統計情報として取得された信号雑音比マージン値、前記減衰率、前記インタリーブディレイ、前記インタリーブコレクション時間、前記接続速度、及び一定時間毎に出力されるパフォーマンス情報、及び前記回線警報を用いて、複数の伝送方式の中から１つ伝送方式を選択することを特徴とするｘＤＳＬの伝送方式選択装置。
【請求項１３】
２線式の電話回路とｘＤＳＬ通信技術によって、ユーザ側とセンタ側とを回線接続し、相互通信を行うｘＤＳＬの回線品質監視装置において、
前記回線接続中に、信号雑音比マージン値と減衰率とインタリーブディレイとインタリーブコレクション時間と接続速度と一定時間毎に出力されるパフォーマンス情報を取得する回線品質監視部を備えたことを特徴とする回線品質監視装置。
【請求項１４】
請求の範囲１３に記載のｘＤＳＬの回線品質監視装置において、
前記パフォーマンス情報は、１５分毎又は２４時間毎に、ＣＲＣエラー、又はロス  オブ  シグナル（ＬＯＳ）、又はロス  オブ  フレーム（ＬＯＦ）が少なくとも１秒間に１回発生したとき、各々カウントされた情報であることを特徴とするｘＤＳＬの回線品質監視装置。
【請求項１５】
請求の範囲１３に記載のｘＤＳＬの回線品質監視装置において、
前記回線品質監視部は、信号雑音比マージン値と減衰率とインタリーブディレイとインタリーブコレクション時間と接続速度とをあらかじめ定められた一定期間の統計情報として取得することを特徴とするｘＤＳＬの回線品質監視装置。
【請求項１６】
請求の範囲１３に記載のｘＤＳＬの回線品質監視装置において、
前記回線品質監視部は、前記信号の伝送が不可能になるとき発生される回線警報をあらかじめ定められた一定期間の統計情報として取得することを特徴とするｘＤＳＬの回線品質監視装置。
【請求項１７】
請求の範囲１３に記載のｘＤＳＬの回線品質監視装置において、
前記回線品質監視部は、信号雑音比マージン値と減衰率とインタリーブディレイとインタリーブコレクション時間と接続速度、及び一定時間毎に出力されるパフォーマンス情報、及び信号の伝送が不可能になるとき発生される回線警報をあらかじめ定められた一定期間の統計情報として取得することを特徴とするｘＤＳＬの回線品質監視装置。
【発明の詳細な説明】
【技術分野】  本発明は、２線式の電話回線を通して、ユーザとセンタ間を接続し、相互に通信を行うｘＤＳＬ（ｘ  Ｄｉｇｉｔａｌ  Ｓｕｂｓｃｒｉｂｅｒ  Ｌｉｎｅ）通信技術に適用されるものであり、ｘＤＳＬの回線品質制御装置、ｘＤＳＬの伝送方式切換装置、ｘＤＳＬの回線品質監視装置に関する。
【背景技術】  ２線式の電話回線を利用するｘＤＳＬ（ＡＤＳＬ（Ａｓｙｍｍｅｔｒｉｃ  ＤＳＬ），ＳＤＳＬ（Ｓｙｍｍｅｔｒｉｃ  ＤＳＬ），ＶＤＳＬ（Ｖｅｒｙ  ｈｉｇｈ  ｂｉｔ  ｒａｔｅ  ＤＳＬ），ＨＤＳＬ（Ｈｉｇｈ  ｂｉｔ  ｒａｔｅ  ＤＳＬ）等）を用いた通信は、使用する周波数帯域において、既存の通信技術（電話、アナログモデム通信、ＩＳＤＮ等）が使用する周波数帯域と競合する。そのため、ｘＤＳＬを用いた通信は、前記周波数帯域の競合に起因する信号の相互干渉により、回線品質が変動する。したがって、ｘＤＳＬは、一定の回線品質を保つことが困難な通信技術である。なお、特開平１０−１７３６５０号公報には、伝送品質の判定に関する技術が記載されている。
そこで、国際標準であるＩＴＵ−Ｔ「Ｇ．９９２．１（Ｇ．ｄｍｉｔ：Ａｐｐｎｅｄｉｘ２）」は、ｘＤＳＬが一定の伝送品質を保つことができない状態に対応するため、次のように勧告している。すなわち、相互通信中に対応策を取ることにより、時々刻々と変動する環境下で最良の伝送品質を保つ「Ｄｙｎａｍｉｃ  Ｒａｔｅ  Ａｄａｐｔａｔｉｏｎ」と称する回線品質変動の手法を勧告している。
しかし、前記Ａｐｐｎｅｄｉｘ２に記載の手法は、オプショナル的機能であり、装置として組み立てる場合に複雑になり、高価になる。したがって、いまだに実現されていないのが実情である。
そこで、第１の従来技術として、従来から信号雑音比（ＳＮＲ）マージンを監視することにより、回線品質を監視することが行われている。なお、信号雑音比マージン（単位：ｄｂ）とは、雑音の変動に対して信号を正確に伝送するために必要な余裕を意味する。信号雑音比マージンは、その値が大きいほど回線品質が上り、伝送速度は低下する。逆に、信号雑音比マージンは、その値が小さいほど伝送速度が上り、回線品質は低下する。
さらに、前記Ａｐｐｎｅｄｉｘ２は、伝送方式として、ＦＢＭ（Ｆｅｘｔ  Ｂｉｔｍａｐ）とＤＭＢ（Ｄｕａｌ  Ｂｉｔｍａｐ）を規定している。
ＦＢＭは、電話回線がＩＳＤＮの影響を強く受けるＮＥＸＴ（Ｎｅａｒ  Ｅｎｄ  Ｃｒｏｓｓ  Ｔａｌｋ）タイミングでは信号の送受信を行わず、電話回線がＩＳＤＮの影響をあまり受けないＦＥＸＴ（Ｆａｒ  Ｅｎｄ  Ｃｒｏｓｓ  Ｔａｌｋ）タイミングに限って信号の送受信を行うものである。具体的には、ＦＥＸＴタイミング毎に、下り信号と上り信号の伝送を交互に繰り返す。ここで、上り信号とは、ユーザ側からセンタ側に送る信号であり、下り信号とはセンタ側からユーザ側に送る信号である。そのため、ＦＢＭでは、伝送量の割り当てを定めるビットマップは１つでよい。また、ＮＥＸＴタイミングとは、ＴＣＭ方式（Ｔｉｍｅ  Ｃｏｍｐｒｅｓｓｉｏｎ  Ｍｕｌｔｉｐｌｅｘｉｎｇ  Ｔｒａｎｓｍｉｓｓｉｏｎ  Ｓｙｓｔｅｍ）によるＩＳＤＮにおいて、センタからユーザに対して信号を送信するタイミングである。ＦＥＸＴタイミングとは、ユーザからセンタに対して信号を送信するタイミングである。
ＤＭＢでは、ＦＥＸＴビットマップとＮＥＸＴビットマップの２つビットマップが設けられている。ＤＭＢは、ＦＢＭでは使用されていなかったＮＥＸＴタイミングにおいても、ビットマップをＦＥＸＴビットマップからＮＥＸＴビットマップに切り替えることにより、信号を送受信することが可能になり、伝送速度の向上に寄与する。すなわちＦＥＸＴタイミングとＮＥＸＴタイミングの双方において、上り信号と下り信号が伝送される。
さらに、前記Ａｐｐｎｅｄｉｘ２には規定されていないが、近年開発された伝送方式として、ＤＢＭＯＬ、ＦＢＭｓＯＬ、ＸＯＬ等がある。
ＤＢＭＯＬ（Ｄｕａｌ  Ｂｉｔｍａｐ  Ｏｖｅｒｌａｐ）は、ＤＢＭにおいて上り信号（ユーザ側からセンタ側に送る信号）だけを伝送するために用意された周波数帯域を下り信号（センタ側からユーザ側に送る信号）にも割り付けるものである。前記下り信号の割り付けは、ＦＥＸＴビットマップ及びＮＥＸＴビットマップの両方で行われる。したがって、ＦＥＸＴタイミングにおける伝送とＮＥＸＴタイミングにおける伝送の双方において、下り信号の伝送速度が向上する。
また、ＦＢＭｓＯＬ（Ｆｅｘｔ  Ｂｉｔｍａｐ  ｓｈａｐｉｎｇ  Ｏｖｅｒｌａｐ）は、ＦＢＭにおけるＦＥＸＴタイミングにおいて、上り信号（ユーザ側からセンタ側に送る信号）だけを伝送するために用いられた周波数帯域を下り信号にも割り付けることにより、伝送速度を向上させるものである。したがって、下り信号は、通話に使用する低周波数帯域を除いて、全ての周波数帯域を用いて伝送される。上り信号を伝送するために用いられる周波数帯域は、前記ＦＢＭと同様である。したがって、下り信号の伝送速度が速くなる。ＦＢＭｓＯＬでは、使用する電力が大きくなるので、電力のシェーピングを行って節電している。
また、ＸＯＬ（Ｘ  Ｏｖｅｒｌａｐ）は、ＦＥＸＴタイミングでは、上り信号と下り信号の周波数帯域を重ねることなく、送受信を行う。ＮＥＸＴタイミングでは、上り信号を伝送するために用意された周波数帯域を下り信号にも割り付けることにより、伝送速度を向上させるものである。前記ＤＢＭＯＬ、ＦＢＭｓＯＬ、ＸＯＬの伝送方式は、下り信号において最大伝送速度１２Ｍｂｐｓを実現することも可能である。
図６に、前記各伝送方式の距離と伝送速度の違いを示す。
図６に示すように、ＤＢＭＯＬは、センタとユーザの距離が近い場合、伝送速度が早い方式である。ただし、ＤＢＭＯＬは、遠距離の伝送はできない。したがって、ＤＢＭＯＬは、近距離ユーザ向けである。
逆に、ＦＢＭｓＯＬは、センタとユーザの距離が遠くても、伝送可能な方式である。ただし、ＦＢＭｓＯＬは、伝送速度は遅い。したがって、ＦＢＭｓＯＬは、遠距離ユーザ向けである。
また、他の伝送方式であるＸＯＬ、ＤＢＭ、ＦＢＭは、図６に示すように、各々距離と伝送速度において特徴を有している。
なお、このような伝送技術は、近年、各種の方式が提案されている。
前記したように、時々刻々と変動する環境下で最良の伝送品質を保つため、第２の従来技術として、信号の減衰率を監視し、減衰率に応じて、前記複数の伝送方式から適切な伝送方式を選択する技術が提案されている。
しかし、前記した従来技術には次のような問題点がある。
第１に、信号雑音比（ＳＮＲ）マージンだけを監視して回線品質を監視するとき、回線には、周期的に発生するノイズ及び突発的に発生するノイズが存在する。したがって、信号雑音比（ＳＮＲ）マージンだけを監視して、回線品質の良否を判定することには問題がある。
第２に、信号の減衰率（ＡＴＴ）だけを監視して、前記複数種類のｘＤＳＬ伝送方式の中から適切な伝送方式を選択することは可能である。しかし、信号の減衰率だけを監視して伝送方式を選択することは、適切な伝送速度で通信を行うという点で問題がある。
【発明の開示】
本発明の目的は、ｘＤＳＬにおいて、回信号雑音比（ＳＮＲ）マージンだけを監視したり、信号の減衰率（ＡＴＴ）だけを監視したりして、回線品質の良否を判定するのでなく、次の要素も監視して、回線品質、伝送速度を向上させることにある。
すなわち、前記回線信号雑音比（ＳＮＲ）マージンと、信号の減衰率（ＡＴＴ）の他に、次の要素も監視する。
（ａ）インタリーブディレイ（エラー訂正の深さ）とインタリーブコレクション時間（エラー訂正時間）を監視する。
ここで、インタリーブディレイとインタリーブコレクション時間は、次のような関係にある。例えば、インタリーブディレイを大きくするため、信号を格納するメモリ容量を大きくする。これによって、エラー訂正の精度は大幅に増し、信号の伝送が正しく行われる。しかし、インタリーブコレクション時間（エラー訂正時間）は、処理する信号が増加するため長くなり、伝送速度は遅くなる。
（ｂ）パフォーマンス情報による定期的なＣＲＣエラー、及ロス  オブ  シグナル（ＬＯＳ）、ロス  オブ  フレーム（ＬＯＦ）を監視する。
前記ＣＲＣエラー、ロス  オブ  シグナル（ＬＯＳ）、ロス  オブ  フレーム（ＬＯＦ）を、一定時間毎に監視することにより、回線品質を監視し、警報を発生することができる。
（ｃ）伝送速度を監視する。
前記信号雑音比（ＳＮＲ）マージンと、信号の減衰率（ＡＴＴ）と、前記（ａ）〜（ｃ）を監視して、回線品質と伝送速度を向上させる。
なお、これらの監視は、センタでは全て行うことができる。ユーザ側では、信号雑音比（ＳＮＲ）マージンと、信号の減衰率（ＡＴＴ）と、伝送速度の監視を行うことができる。
具体的には、次のようにして、前記目的を達成する。
第１に、２線式の電話回路とｘＤＳＬ通信技術によって、ユーザ側とセンタ側とを回線接続し、相互通信を行うｘＤＳＬの回線品質制御装置において、回線品質監視部は、信号雑音比マージン値と減衰率とインタリーブディレイとインタリーブコレクション時間と接続速度を取得する。
回線品質設定部は、前記取得された信号雑音比マージン値、前記減衰率、前記インタリーブディレイ、前記インタリーブコレクション時間、前記接続速度を用いて、前記ユーザ側とセンタ側とを結ぶ回線の信号雑音比マージン値、減衰率、インタリーブディレイ、インタリーブコレクション時間、接続速度を新たに設定して、回線品質を一定の品質にする。
この動作を繰り返すことにより、回線品質を一定の品質に維持することができる。
第２に、回線品質監視部は、一定時間毎に出力されるパフォーマンス情報を取得し、回線品質設定部は、回線品質監視部が取得した信号雑音比マージン値、減衰率、インタリーブディレイ、インタリーブコレクション時間、接続速度、パフォーマンス情報に基づいて、回線品質を一定の品質にする。パフォーマンス情報を利用することにより、回線品質がさらに向上する。
ここで、パフォーマンス情報は、例えば１５分毎又は２４時間毎に、ＣＲＣエラー、又はロス  オブ  シグナル（ＬＯＳ）、又はロス  オブ  フレーム（ＬＯＦ）が少なくとも１秒間に１回発生したとき、各々カウントされる情報である。
第３に、前記回線品質監視部は、信号雑音比マージン値と減衰率とインタリーブディレイとインタリーブコレクション時間と接続速度を定期的に取得して、あらかじめ定められた一定期間の統計情報とする。また、前記回線品質設定部は、統計情報として取得された雑音比マージン値、減衰率、インタリーブディレイ、インタリーブコレクション時間、接続速度を用いて、ユーザ側とセンタ側とを結ぶ回線の信号雑音比マージン値、減衰率、インタリーブディレイ、インタリーブコレクション時間、接続速度を設定する。
これにより、瞬時値ではなく、統計情報に基づく回線品質設定が行われるので、回線品質がさらに向上する。
第４に、回線品質監視部は、信号雑音比マージン値と減衰率とインタリーブディレイとインタリーブコレクション時間と接続速度、及び信号の伝送が不可能になるとき発生される回線警報をあらかじめ定められた一定期間の統計情報として取得する。また、回線品質設定部は、前記統計情報として取得された信号雑音比マージン値、前記減衰率、前記インタリーブディレイ、インタリーブコレクション時間、前記接続速度、前記回線警報を用いて、ユーザ側とセンタ側とを結ぶ回線の信号雑音比マージン値、減衰率、インタリーブディレイ、インタリーブコレクション時間、接続速度を設定する。
これにより、回線警報を考慮した回線品質設定が行われるので、回線品質がさらに向上する。
第５に、回線品質監視部は、信号雑音比マージン値と減衰率とインタリーブディレイとインタリーブコレクション時間と接続速度、及び一定時間毎に出力されるパフォーマンス情報、及び信号の伝送が不可能になるとき発生される回線警報をあらかじめ定められた一定期間の統計情報として取得する。また、回線品質設定部は、統計情報として取得された信号雑音比マージン値、減衰率、インタリーブディレイ、インタリーブコレクション時間、接続速度、及び一定時間毎に出力されるパフォーマンス情報、及び回線警報を用いて、前記ユーザ側と前記センタ側とを結ぶ回線の信号雑音比マージン値、減衰率、インタリーブディレイ、インタリーブコレクション時間、接続速度を設定する。
これにより、パフォーマンス情報と回線警報とを考慮した回線品質設定が行われるので、回線品質がさらに向上する。
第６に、２線式の電話回路とｘＤＳＬ通信技術によって、ユーザ側とセンタ側とを接続し、相互通信を行うｘＤＳＬの伝送方式選択装置において、回線品質監視部は、信号雑音比マージン値と減衰率とインタリーブディレイとインタリーブコレクション時間と接続速度を取得する。また、伝送方式選択部は、取得された信号雑音比マージン値、減衰率、インタリーブディレイ、インタリーブコレクション時間、接続速度を用いて、複数の伝送方式の中から１つ伝送方式を選択する。
これにより、適切な伝送方式を選択することができる。
第７に、回線品質監視部は、信号雑音比マージン値と減衰率とインタリーブディレイとインタリーブコレクション時間と接続速度の他に、一定時間毎に出力されるパフォーマンス情報を取得する。また、伝送方式選択部は、信号雑音比マージン値、減衰率、インタリーブディレイ、インタリーブコレクション時間、接続速度、パフォーマンス情報を用いて、複数の伝送方式の中から１つ伝送方式を選択する。パフォーマンス情報を利用することにより、回線品質がさらに向上する。
ここで、パフォーマンス情報は、例えば１５分毎又は２４時間毎に、ＣＲＣエラー、又はロス  オブ  シグナル（ＬＯＳ）、又はロス  オブ  フレーム（ＬＯＦ）が少なくとも１秒間に１回発生したとき、各々カウントされる情報である。
第８に、回線品質監視部は、信号雑音比マージン値と減衰率とインタリーブディレイとインタリーブコレクション時間と接続速度とをあらかじめ定められた一定期間の統計情報として取得する。また、伝送方式設定部は、統計情報として取得された信号雑音比マージン値、減衰率、インタリーブディレイ、インタリーブコレクション時間、接続速度を用いて、複数の伝送方式の中から１つ伝送方式を選択する。
これにより、瞬時値ではなく、統計情報に基づく回線品質設定が行われるので、適切な伝送方式の選択が行われる。
第９に、回線品質監視部は、信号雑音比マージン値と減衰率とインタリーブディレイとインタリーブコレクション時間と接続速度、及び信号の伝送が不可能になるとき発生される回線警報をあらかじめ定められた一定期間の統計情報として取得する。また、伝送方式設定部は、統計情報として取得された信号雑音比マージン値、減衰率、インタリーブディレイ、インタリーブコレクション時間、前記接続速度、前記回線警報を用いて、複数の伝送方式の中から１つ伝送方式を選択する。
これにより、回線警報を考慮した回線品質設定が行われるので、適切な伝送方式の選択が行われる。
第１０に、回線品質監視部は、信号雑音比マージン値と減衰率とインタリーブディレイとインタリーブコレクション時間と接続速度、及び一定時間毎に出力されるパフォーマンス情報、及び信号の伝送が不可能になるとき発生される回線警報をあらかじめ定められた一定期間の統計情報として取得する。また、伝送方式設定部は、統計情報として取得された信号雑音比マージン値、減衰率、インタリーブディレイ、インタリーブコレクション時間、接続速度、及び一定時間毎に出力されるパフォーマンス情報、及び回線警報を用いて、複数の伝送方式の中から１つ伝送方式を選択する。
これにより、パフォーマンス情報と回線警報とを考慮した回線品質設定が行われるので、適切な伝送方式の選択が行われる。
第１１に、２線式の電話回路とｘＤＳＬ通信技術によって、ユーザ側とセンタ側とを回線接続し、相互通信を行うｘＤＳＬの回線品質監視装置において、回線品質監視部が、回線接続中に、信号雑音比マージン値と減衰率とインタリーブディレイとインタリーブコレクション時間と接続速度と一定時間毎に出力されるパフォーマンス情報を取得する。
これにより、回線品質監視装置が、パフォーマンス情報を考慮した回線監視を行うことができる。ここで、パフォーマンス情報は、例えば１５分毎又は２４時間毎に、ＣＲＣエラー、又はロス  オブ  シグナル（ＬＯＳ）、又はロス  オブフレーム（ＬＯＦ）が少なくとも１秒間に１回発生したとき、各々カウントされる情報である。
第１２に、回線品質監視部は、信号雑音比マージン値と減衰率とインタリーブディレイとインタリーブコレクション時間と接続速度とをあらかじめ定められた一定期間の統計情報として取得する。
これにより、統計情報に基づく回線監視が行われる。
第１３に、回線品質監視部は、信号の伝送が不可能になるとき発生される回線警報をあらかじめ定められた一定期間の統計情報として取得する。
これにより、回線警報を考慮した回線品質監視が行われる。
第１４に、回線品質監視部は、信号雑音比マージン値と減衰率とインタリーブディレイとインタリーブコレクション時間と接続速度、及び一定時間毎に出力されるパフォーマンス情報、及び信号の伝送が不可能になるとき発生される回線警報をあらかじめ定められた一定期間の統計情報として取得する。
これにより、パフォーマンス情報と回線警報とを考慮した回線品質監視が行われる。
【図面の簡単な説明】  図１は、本発明で用いる２線式の電話回線を通して、ユーザ側の装置とセンタ側の装置とを接続し、相互に通信を行うｘＤＳＬによる通信技術の基本構成を示す図である。
図２は、センタ側のＤＳＬ通信装置の概略を示すブロック図である。
図３は、回線品質設定回路が適切な伝送品質を得るために実行するフローチャートの一例である。
図４は、センタ側のＤＳＬ通信装置の概略を示すブロック図である。
図５は、図４に示すＤＳＬ通信装置の動作の一例を示すフローチャートである。
図６は、各伝送方式の距離と伝送速度の違いを示す説明図である。
【発明を実施するための最良の形態】    以下、本発明の実施の形態について説明する。
［実施の形態１］
本発明の実施の形態１について説明する。
図１は、本発明で用いる２線式の通信回線（電話回線）ＰＬを通して、ユーザ側のＤＳＬ通信装置１−１〜１−ｎとセンタ側のＤＳＬ通信装置２０とを接続し、相互に通信を行うｘＤＳＬに基づく通信技術の基本構成を示す図である。
図１において、ユーザ側のＤＳＬ通信装置１−１〜１−ｎの各々とセンタ側ＤＳＬ通信装置とを接続する複数の通信回線ＰＬは、センタ側ＤＳＬ通信装置において収線される。また、センタ側通信装置２０は、ネットワークＮに接続されている。
ユーザ側のＤＳＬ通信装置１−１〜１−ｎは、それぞれ図示しないパーソナルコンピュータ等の端末機器に接続されている。
図１において、ユーザ側のＤＳＬ通信装置１−１〜１−ｎとセンタ側のＤＳＬ通信装置２０間を接続している通信回線ＰＬは、ｘＤＳＬによる通信を行う。
図２は、図１に示すＤＳＬ通信装置（１−１〜１−ｎ、２０）の一例を示すブロック図である。ＤＳＬ通信装置１−１〜１−ｎとＤＳＬ通信装置２０は同一構成であるが、図２ではＤＳＬ通信装置２０として説明する。
図２に示すように、ＤＳＬ通信装置２０は、ＤＳＬ通信回路２１と回線品質監視回路２２とＣＰＵ（又は運用者）２３と回線品質設定回路２４とから構成されている。
ＤＳＬ通信回路２１は、通信回線（電話回線）ＰＬに接続されている。回線品質監視回路２２は、ＤＳＬ通信回路２１から、信号雑音比（ＳＮＲ）とインタリーブディレイと減衰率（ＡＴＴ）とパフォーマンス情報と伝送速度を取得する。ＤＳＬ通信回路２１は、前記信号雑音比（ＳＮＲ）等の瞬時時を取得するとともに、一定時間毎の平均値を統計情報として取得する。
例えば、パフォーマンス情報が１５分毎又は２４時間毎に発生するものとする。ＤＳＬ通信装置２１は、１秒間に１回でもＣＲＣエラーが発生すると、ＣＲＣエラー回数をカウントアップする。ロス  オブ  シグナル（ＬＯＳ）、ロス  オブ  フレーム（ＬＯＦ）につても同様である。回線品質監視回路２２は、統計情報を取得すると、前記１５分毎又は２４時間毎のＣＲＣエラー発生回数、及びロス  オブ  シグナル（ＬＯＳ）発生回数、及びロス  オブ  フレーム（ＬＯＦ）発生回数（パフォーマンス情報）を統計情報の一部とする。
ＣＰＵ２３（又は運用者）は、前記リアルタイム情報又は統計情報を受けて、回線品質設定回路２４に対して、前記リアルタイム情報又は統計情報と共に、適切な伝送環境を設定するように指示を出す。
回線品質設定回路２４は、前記指示にしたって、ＤＳＬ通信回路２１の回線品質（ＳＮＲマージン／ＡＴＴ／インタリーブディレイ／コレクション時間）を設定する。
前記適切な回線品質の設定は、リアルタイム情報によって実行してもよいし、統計情報によって実行してもよい。
図３は、回線品質設定回路２４が適切な回線品質を得るために実行するフローチャートの一例である。
ステップＳ１において、減衰率（ＡＴＴ）があらかじめ定められた値よりも低いか高いかが判定される。高いと判定された場合には、ステップＳ２に進む。
ステップＳ２において、回線警報が出力されているか否かが判定される。回線警報は、次のような場合に出力される。例えば、ＤＳＬ通信回路２１において、ロス  オブ  シグナル（ＬＯＳ）、又はロス  オブ  フレーム（ＬＯＦ）が生じることによって発生する。これは、ｘＤＳＬを用いた伝送中に信号が消失したり、複数の信号を組み込んでいるフレームが消失したりすると、信号の伝送が不可能になる。このようなとき、回線警報が出力される。
ステップＳ２において、回線警報が発生している判定された場合、ステップＳ３に進み、インタリーブコレクション時間を長くする設定を行う。これによって、エラー訂正時間が長くなり、信号の消失等がなくなり、回線品質が向上する。ステップＳ３における処理により、回線警報が停止した場合には、再びステップＳ２に戻り、再度回線警報の有無を確認のために判定する。
ステップＳ３の処理を行っても回線警報が停止しない場合、ステップＳ６に進む。ステップＳ６において、目標ＳＮＲマージン時間が大きく設定される。これによって、伝送速度は遅くなるが、信号の消失等の事態を避けることが可能になる。
なお、このフローチャートでは、ステップＳ３に付随して行われる回線警報の有無の判断を説明の簡単化のため省略している。
ステップＳ２において、回線警報が出力されていないと判定された場合、ステップＳ４に進む。
ステップＳ４において、パフォーマンス情報を監視する。前記したように、パフォーマンス情報は、例えば１５分に１回又は２４時間に１回の割合で出力される。これによって、定期的にＣＲＣエラー、及びロス  オブ  シグナル（ＬＯＳ）、ロス  オブ  フレーム（ＬＯＦ）を監視する。
ステップＳ４における監視の結果、ＣＲＣエラー、又はロス  オブ  シグナル（ＬＯＳ）、又はロス  オブ  フレーム（ＬＯＦ）が発生している場合、ステップＳ５に進む。
ステップＳ５において、インタリーブディレイを大に設定する。具体的には、信号を格納するメモリ容量を大きくする。これによって、信号の消失等がなくなり、回線品質が向上する。ステップＳ５における処理により、エラーの発生がなくなった場合には、回線品質速度が向上する。その後、再びステップＳ４に戻り、再度パフォーマンス情報の監視を確認のために行う。
ステップＳ５の処理を行っても、ＣＲＣエラー、又はロス  オブ  シグナル（ＬＯＳ）、又はロス  オブ  フレーム（ＬＯＦ）が発生する場合、ステップＳ６に進む。
ステップＳ６においては、前記したように目標ＳＮＲマージンが大きく設定される。これによって、伝送速度は遅くなるが、信号の消失等の事態を避けることが可能になる。
なお、このフローチャートでは、ステップＳ５に付随して行われるパフォーマンス情報におけるエラー発生の判断を説明の簡単化のため省略している。
ステップＳ４における監視の結果、ＣＲＣエラー、又はロス  オブ  シグナル（ＬＯＳ）、又はロス  オブ  フレーム（ＬＯＦ）が発生していない場合、ステップＳ７に進む。また、ステップＳ１において、減衰率（ＡＴＴ）があらかじめ定められた値よりも低いと判定された場合にも、ステップＳ７に進む。
ステップＳ７において、信号雑音比（ＳＮＲ）と目標信号雑音比（ＳＮＲ）を比較する。比較の結果、両者の差（信号雑音比（ＳＮＲ）＜目標信号雑音比（ＳＮＲ））が大きい場合にはステップＳ８に進み、目標信号雑音比（ＳＮＲ）を小さく設定する。この結果、伝送速度が向上する。また、比較の結果、両者の差がほとんどない場合には、ステップＳ９に進む。
ステップＳ９においては、現状維持の処理と品質監視が継続される。
以上の説明から明らかなように、実施の形態１によれば、図２に示す回線品質監視回路２２が取得した情報に基づいて、ｘＤＳＬの回線品質を一定の範囲内に設定することができる。
なお、実施の形態１では、回線品質設定回路２４を用いて適切な信号雑音比（ＳＮＲ）マージン、適切な減衰率（ＡＴＴ）、適切なインタリーブディレイ、適切なコレクション時間を求めた。しかし、本発明はこれに限定されるものではなく、ＣＰＵ２３がこれらの値を求めてもよい。
［実施の形態２］
次に、本発明の実施の形態２について説明する。
実施の形態２においても、図１に記載のｘＤＳＬに基づく通信技術の基本構成は同様であるので、その説明を省略する。
図４は、図１に示すＤＳＬ通信装置（１−１〜１−ｎ、２０）の一例を示すブロック図である。ＤＳＬ通信装置１−１〜１−ｎとＤＳＬ通信装置２０は同一構成であるが、図４ではＤＳＬ通信装置２０として説明する。
また、図２に示すＤＳＬ通信装置２０と図４に示すＤＳＬ通信装置２０において、同一部分は同一符号を付してその説明を省略する。具体的には、図３に示す回路品質設定回路２４と図５に示す伝送方式選択回路２５だけが相違している。
すなわち、図４において、ＣＰＵ２３（又は運用者）は、リアルタイム情報又は統計情報を受けて、伝送方式選択回路２５に対して、リアルタイム情報又は統計情報に基づいた伝送方式の選択を指示する。伝送方式選択回路２５は、受信したリアルタイム情報又は統計情報を基に、伝送方式を選択してＤＳＬ通信回路２１に設定を指示する。
図５は、伝送方式選択回路２５が適切な伝送方式を選択するために実行するフローチャートの一例である。
ステップＳ１０において、回線警報が出力されているか否かが判定される。回線警報は、次のような場合に出力される。すなわち、ＤＳＬ通信回路２１において、ロス  オブ  シグナル（ＬＯＳ）、又はロス  オブ  フレーム（ＬＯＦ）が生じることによって発生する。これは、ｘＤＳＬを用いた伝送中に信号が消失したり、複数の信号を組み込んでいるフレームが消失したりすると、信号の伝送が不可能になるためである。
ステップＳ１０において、回線警報が出力されていると判定された場合、ステップＳ１１に進む。
ステップＳ１１において、伝送方式を変更する。例えば、現在の伝送方式がＤＢＭＯＬの場合、ＸＯＬに変更したり、現在の伝送方式がＤＢＭの場合、ＦＢＭｓＯＬに変更したりする。次に、ステップＳ１１からステップＳ１３に進む。
ステップＳ１３において、新たに設定された回線の回線品質監視が行われる。
ステップＳ１０において、回線警報が出力されていないと判定された場合、ステップＳ１２に進む。
ステップＳ１２において、減衰率（ＡＴＴ）が確認される。確認された減衰率（ＡＴＴ）の大きさ（ｄｂ）によって、ステップＳ１４又はステップＳ１５又はステップＳ１６に進む。
すなわち、減衰率（ＡＴＴ）が１５ｄｂ未満の場合、ステップＳ１４における確認する。その後、ステップＳ１７において伝送速度が前の伝送方式の伝送速度よりも遅い場合、例えばＤＢＭＯＬに変更される。
また、減衰率（ＡＴＴ）が１５〜４５ｄｂの範囲にある場合、ステップＳ１５において確認する。その後、ステップＳ１８において伝送速度が前の伝送方式の伝送速度よりも遅い場合、例えばＸＯＬ又はＤＢＭに変更される。
また、減衰率（ＡＴＴ）が４５ｄｂを超える場合、ステップＳ１６において確認する。その後、ステップＳ１９において伝送速度が前の伝送方式の伝送速度よりも遅い場合、例えばＦＭＢｓＯＬに変更される。
さらに、ステップＳ１７〜Ｓ１９において、前方式より伝送速度が遅いと判定された場合、ステップＳ１３において接続した回線品質監視が行われる。
なお、ステップＳ１７〜Ｓ１９において、前方式より伝送速度が早いと判定された場合、ステップＳ１３において、伝送方式は現状維持される。
以上の説明から明らかなように、実施の形態２によれば、図４に示す回線品質監視回路２２が取得した情報に基づいて、伝送方式選択回路２５が適切な伝送方式を選択して、ＤＳＬ通信回路２１に設定することができる。
なお、実施の形態２では、伝送方式選択回路２５を用いて適切な伝送方式を選択した。しかし、本発明はこれに限定されるものではなく、ＣＰＵ２３が選択してもよい。
【産業上の利用の可能性】
本発明によれば、２線式の電話回線を通して、ユーザとセンタ間を接続し、相互に通信を行うｘＤＳＬにおいて、回信号雑音比（ＳＮＲ）マージンと、信号の減衰率（ＡＴＴ）の他に、次の事項を監視する。すなわち、インタリーブディレイ（エラー訂正の深さ）、インタリーブコレクション時間（エラー訂正時間）、定期的なＣＲＣエラー、及びロス  オブ  シグナル（ＬＯＳ）、ロス  オブ  フレーム（ＬＯＦ）、伝送速度を監視する。これにより、対向しているユーザ側の装置、又はセンタ側の装置とネゴシエーションを必要とせず、一方の装置だけの判定により、回線品質と伝送速度の向上及び最適な伝送方式の選択が可能になる。
なお、本発明はハードウェアの変更を伴うことなく、ソフトウェア（ファームウェア）の変更だけで実現することができる。したがって、例えばユーザ側の装置だけを単独で本発明により運用することが可能であり、ユーザ側の装置とセンタ側の装置との相互接続性の問題を解決でき、さらに安価に構成できるのでコストの問題を克服することができる。
【図１】
2004068831.tif 000003
【図２】
2004068831.tif 000004
【図３】
2004068831.tif 000005
【図４】
2004068831.tif 000006
【図５】
2004068831.tif 000007
【図６】
2004068831.tif 000008
【国際調査報告】
2004068831.tif 000009
2004068831.tif 000010
2004068831.tif 000011
2004068831.tif 000012